(57)【要約】【課題】空気の浄化度を低下させることなく、吹出口側にある物体にカビが発生するのを防止すると共に、雰囲気を均一に浄化及び加湿することができる空気清浄機を提供する。【解決手段】送風機８が吸入した空気を浄化し、加湿器１７で加湿して風向板１２を有する吹出口から吹出す空気清浄機。湿度センサ４２が吹出す空気の湿度を検出し、距離センサ４５が吹出口側にある物体との距離を検出する。検出した湿度の高／低及び距離の短／長に応じて、制御部４０が風向板駆動回路５０により、風向板１２の角度を上／下させる。【選択図】図３
2009085558.tif 000002
【特許請求の範囲】
【請求項１】
送風機が吸入した空気を浄化し、加湿器で加湿して風向板を有する吹出口から吹出す空気清浄機において、
前記吹出口から吹出す空気の湿度を検出する湿度センサと、
該湿度センサが検出した湿度に基づいて、前記風向板の角度を制御する制御手段と
を備えることを特徴とする空気清浄機。
【請求項２】
前記制御手段は、前記湿度センサが検出した湿度が所定値以上の場合、前記風向板を、仰角が増す方向に向けさせるようにしてあることを特徴とする請求項１に記載の空気清浄機。
【請求項３】
前記制御手段は、前記湿度センサが検出した湿度が所定値以上の場合、前記加湿器の加湿量を減少させるようにしてあることを特徴とする請求項１又は２に記載の空気清浄機。
【請求項４】
前記加湿器は、前記送風機の風量の増／減により、加湿量が増／減するようにしてあり、
前記制御手段は、前記湿度センサが検出した湿度が、前記所定値より大きい第２の所定値以上の場合、前記送風機の風量を減少させて、前記加湿器の加湿量を減少させるようにしてあることを特徴とする請求項３に記載の空気清浄機。
【請求項５】
前記吹出口側にある物体との距離を検出する距離センサを備え、
前記制御手段は、前記距離センサが検出した距離に基づいて、前記風向板の角度及び／又は前記加湿器の加湿量を制御するように構成してあることを特徴とする請求項１から４までの何れか１項に記載の空気清浄機。
【請求項６】
前記制御手段は、前記距離センサが検出した距離が所定距離未満（又は所定距離以上）の場合、前記風向板を、仰角が所定角以上（又は所定角未満）となる方向に向けさせるようにしてあることを特徴とする請求項５に記載の空気清浄機。
【発明の詳細な説明】
【技術分野】
【０００１】
本発明は、室内の空気を取り込んで浄化し、加湿して室内に吹出す空気清浄機に関する。
【背景技術】
【０００２】
室内の空気には、塵埃、花粉及びタバコの煙等の、人体に有害な微粒子及び有害なガスが含まれている。近年、住宅の気密度が高まるに伴い、これらの微粒子又はガスが室内に滞留する度合いが増す一方で、積極的な換気が行われる機会は減少している。このような状況にあって、室内の空気を浄化する機能を有する空気清浄機の普及が進んでいる。
【０００３】
空気清浄機は、送風機の回転により、室内の空気をエアフィルタを通じて取り込み、その際に空気中の微粒子を捕集すると共に、有害なガスを吸着又は分解することにより、空気を浄化する。その後、イオン発生器より放出されたイオンを浄化された空気に含ませることもある。そして、浄化された空気は、空気清浄機の吹出口より再び室内に戻される。
【０００４】
空気清浄機の中には、室内の湿度を使用者に快適な値に調節するために、加湿機能を併せ持つものがある。加湿機能を有する空気清浄機では、内部の通気路の一部又は全部を遮るように、水を含ませた加湿フィルタを配置してあり、前記エアフィルタにより浄化された空気が、当該加湿フィルタを通過する際に加湿されるようになっている（例えば、特許文献１参照）。
また、特許文献２では、除湿機の上面の吹出口に角度可変の風向板を装着することにより、多目的の使用状況に応じた吹出し気流を得る技術が開示されている。
【特許文献１】特開２００６−４６７２９号公報
【特許文献２】特開２００１−２５４９７０号公報
【発明の開示】
【発明が解決しようとする課題】
【０００５】
しかしながら、特許文献２に開示された技術では、室内の温湿度及びイオン分布の均一化を図る目的で、例えば近傍の壁面に向けて吹出口から空気を吹出した場合、当該空気の湿度が高いときは、時間の経過と共に、壁面にカビが発生することが懸念される。
【０００６】
また、特許文献１に開示された技術では、取り込んだ空気を浄化する能力と加湿する能力とは、何れも取り込む空気の流量、即ち送風機の風量に依存するところが大である。このため、吹出す空気の湿度を低下させる目的で送風機の風量を減少させた場合、空気の浄化度が下がるという問題がある。
【０００７】
本発明は斯かる事情に鑑みてなされたものであり、その目的とするところは、吹出す空気の湿度に応じて風向板の角度を調整することにより、空気の浄化度を低下させることなく、吹出口側にある物体にカビが発生するのを防止すると共に、コアンダ効果（Coanda effect＝流体の流れの中に物体を置いたときに、当該物体に沿って流れの向きが変わる現象）によって、雰囲気を均一に浄化及び加湿することができる空気清浄機を提供することにある。
【課題を解決するための手段】
【０００８】
本発明に係る空気清浄機は、送風機が吸入した空気を浄化し、加湿器で加湿して風向板を有する吹出口から吹出す空気清浄機において、前記吹出口から吹出す空気の湿度を検出する湿度センサと、該湿度センサが検出した湿度に基づいて、前記風向板の角度を制御する制御手段とを備えることを特徴とする。
【０００９】
本発明にあっては、湿度センサが、吹出口から吹出す空気の湿度を検出し、検出した湿度の高／低に応じて、制御手段が、風向板の角度を上／下させる。これにより、例えば吹出口側に壁面等の遮蔽物があった場合、吹出す空気の湿度が高いほど、当該遮蔽物のより上方に、より緩やかに、空気が吹き当たるようにする。
【００１０】
本発明に係る空気清浄機は、前記制御手段は、前記湿度センサが検出した湿度が所定値以上の場合、前記風向板を、仰角が増す方向に向けさせるようにしてあることを特徴とする。
【００１１】
本発明にあっては、湿度センサが検出した湿度が、カビの発生が懸念される所定値以上となった場合、制御手段が、そのときの風向板の仰角を増大させる。これにより、例えば吹出口側に壁面等の遮蔽物があった場合、当該遮蔽物のより上方に、より緩やかに空気を吹き当てて、カビが発生することを防止する。
【００１２】
本発明に係る空気清浄機は、前記制御手段は、前記湿度センサが検出した湿度が所定値以上の場合、前記加湿器の加湿量を減少させるようにしてあることを特徴とする。
【００１３】
本発明にあっては、湿度センサが検出した湿度が、カビの発生が懸念される所定値以上となった場合、制御手段が、湿度の設定値に拘わらず加湿器の加湿量を減少させる。これにより、例えば吹出口側に壁面等の遮蔽物があった場合、当該遮蔽物に吹き当たる空気によってカビが発生することを抑止する。
【００１４】
本発明に係る空気清浄機は、前記加湿器は、前記送風機の風量の増／減により、加湿量が増／減するようにしてあり、前記制御手段は、前記湿度センサが検出した湿度が、前記所定値より大きい第２の所定値以上の場合、前記送風機の風量を減少させて、前記加湿器の加湿量を減少させるようにしてあることを特徴とする。
【００１５】
本発明にあっては、加湿器は、送風機の風量の増／減により、吹出す空気への加湿量を増／減させる。湿度センサが検出した湿度が、前記所定値より大きい第２の所定値以上となった場合、制御手段が、浄化度の低下に拘わらず、送風機の風量を減少させて、吹出す空気への加湿量を更に減少させる。これにより、例えば吹出口側に壁面等の遮蔽物があった場合、当該遮蔽物に吹き当たる空気によってカビが発生することを更に抑止する。
【００１６】
本発明に係る空気清浄機は、前記吹出口側にある物体との距離を検出する距離センサを備え、前記制御手段は、前記距離センサが検出した距離に基づいて、前記風向板の角度及び／又は前記加湿器の加湿量を制御するように構成してあることを特徴とする。
【００１７】
本発明にあっては、距離センサが吹出口側にある物体との距離を検出し、検出した距離の短／長に応じて、制御手段が、風向板の角度の上／下及び／又は加湿器の加湿量の減／増を制御する。これにより、吹出口側にある物体との離隔距離が短いほど、吹出口側にある物体のより上方により緩やかに空気が吹き当たるようにし、併せて（又は風向板の角度を維持して）吹出す空気への加湿量をより減少させて、当該物体にカビが発生するのを防止する。
【００１８】
本発明に係る空気清浄機は、前記制御手段は、前記距離センサが検出した距離が所定距離未満（又は所定距離以上）の場合、前記風向板を、仰角が所定角以上（又は所定角未満）となる方向に向けさせるようにしてあることを特徴とする。
【００１９】
本発明にあっては、距離センサの検出値が所定距離未満の場合、制御部が、風向板を、設定角度に拘わらず仰角が所定角以上となる方向に向けさせる。また、距離センサの検出値が所定距離以上の場合、制御部が、風向板を、設定角度に拘わらず仰角が所定角未満となる方向に向けさせる。これにより、吹出す空気の湿度によってはカビの発生が懸念される場合は、吹出口側にある物体のより上方に、より緩やかに空気を吹き当てて、カビの発生を抑止し、カビの発生の恐れが少ない場合は、吹出口側にある物体に空気を吹き当てて、コアンダ効果により雰囲気を均一に浄化及び加湿する。
【発明の効果】
【００２０】
本発明によれば、吹出す空気の湿度の高／低に応じて、風向板の角度を上／下させる。これにより、例えば吹出口側に壁面等の遮蔽物があった場合、吹出す空気の湿度が高いほど、当該遮蔽物のより上方に、より緩やかに、空気が吹き当たるようにする。従って、空気の浄化度を低下させることなく、吹出口側にある物体にカビが発生するのを防止する。また、吹出した空気がコアンダ効果によって効率よく周囲に行き渡るため、雰囲気を均一に浄化及び加湿することができる。
【発明を実施するための最良の形態】
【００２１】
以下、本発明をその実施の形態を示す図面に基づいて詳述する。本発明に係る空気清浄機は加湿機能を有するものであり、本実施の形態では、更にイオン放出機能を併せ持つものを例に挙げて説明する。
図１は、本発明に係る空気清浄機を正面右上から見た略示斜視図であり、図２は、空気清浄機の内部構成を示す略示右側断面図である。図中２は筐体であり、筐体２の前面側には前面パネル３を取り付けてある。筐体２は、また、背面側に矩形の開口を有し、該開口の内側には、エアフィルタを収納するために矩形の枠体を形成してある。
【００２２】
該枠体には、エアフィルタとして、空気中の臭気成分を吸着する脱臭フィルタ４及び微細な塵埃を捕集する集塵フィルタ５を、背面側よりこの順に重ね合わせて収納してある。前記枠体の背面側は、格子状に多数の通気孔を有する略矩形のフィルタ押え枠（図示せず）で閉塞してエアフィルタの脱落を防止してあり、更に、所定の間隙をおいて通気性を有する背面カバー６を背面側に取り付けてある。
【００２３】
脱臭フィルタ４は、活性炭を均一に分散させたポリエステル製の不織布を矩形の枠に貼り付けたものである。また、集塵フィルタ５は、ＨＥＰＡ（High Efficiency Particulate Air）フィルタであって、ポリエステル又はビニロン系の不織布からなる骨材と電石加工を施したメルトブロー不織布とを合わせた濾材を折り畳み、更にその上下面にハイドロキシアパタイト加工を施した不織布からなる抗菌シートを重ねて熱圧着したものに、枠材を溶着したものである。
【００２４】
前記枠体の前方には、エアフィルタから通風される空気に加湿するための加湿器１７が配されている。加湿器１７は、円盤状の枠体及び折り畳まれた吸水材からなる加湿フィルタ１４、並びに加湿フィルタ１４の下方、筐体２の下部に配されて一側方から着脱可能なトレイ１５を有する。トレイ１５は、一側方から着脱可能な給水タンク１６と連通され、給水タンク１６から適時所定水位まで水が供給される。加湿フィルタ１４は、トレイ１５内に立設された支柱上端部の駆動モータ（図示せず）に回動可能に軸支されて、下部がトレイ１５に貯水された水に浸されることにより、吸水材全体が水を含浸するようにしてある。
【００２５】
加湿フィルタ１４の前面側には、多数の通気孔が形成された隔壁２３が配され、隔壁２３と前面パネル３とに挟まれるようにして送風機８が配設されている。送風機８は、隔壁２１によって離隔されたファンモータ９及びファン１０からなる。ファンモータ９は回転数の制御が容易な直流モータであり、隔壁２１の正面側に固設されている。ファン１０には、低騒音のターボファンを採用しているが、プロペラファン、クロスフローファン等、他のファンでもよい。
【００２６】
送風機８の上方には、隔壁２１及び隔壁２３によって形成された上向きの通風路１１が、背面側に傾斜して外装まで連通している。外装の上面は、正面側の天板と、該天板の後縁から背面カバー６の上縁まで後傾する傾斜面とで形成されている。通風路１１は、前記傾斜面の上端部に開口する吹出口１１ａを有し、吹出口１１ａには、吹出す空気の方向を変更するための風向板１２が、前後に揺動可能に軸支されている。風向板１２は、奥行きが異なる２枚の横長の羽根を略平行に配してなり、風向板駆動回路５０（図３参照）により駆動されるステッピングモータの動力が回動軸１２ａに伝達されて、俯仰自在に回動するようになっている。また、風向板１２を所定の俯角まで回動させた場合、吹出口１１ａが風向板１２によって閉塞されるようにしてある。通風路１１の途中には、ファン１０から吹出口１１ａに向かう空気中に、正及び／又は負のイオンを放出するためのイオン発生器１８、並びに吹出す空気の湿度（又は温度）を検出するための湿度センサ４２（又は温度センサ４１）が、近接して設置されている。湿度センサ４２及び温度センサ４１は、一体化して形成してある。
【００２７】
外装の上面の天板には、電源のオン／オフ及び各運転モード設定を行うための操作ボタン４８、並びに各運転モードを表示するためのＬＥＤからなる表示ランプ４９ａを有する操作表示部１３が配されている。
操作ボタン４８には、電源をオン／オフするための電源ボタン、空気浄化機能の設定を行うための空気浄化設定ボタン、加湿機能の設定を行うための加湿設定ボタン、及びイオンの放出をオン／オフするためのイオン放出ボタンが備えられている。
表示ランプ４９ａには、電源ボタン、空気浄化設定ボタン、加湿設定ボタン及びイオン放出ボタンの各操作に従って、夫々電源のオン／オフ、空気浄化の運転モード、加湿の運転モード及びイオン放出のオン／オフを各表示する電源表示ランプ、空気浄化運転モード表示ランプ、加湿運転モード表示ランプ及びイオン放出表示ランプが備えられている。
【００２８】
前面パネル３の最上部中央には、後述する各センサが検出した内容を表示するためのＬＥＤからなる表示ランプ４９ｂが配されている。表示ランプ４９ｂには、湿度センサ４２ａの検出値に基づいて周囲の湿度を表示する湿度表示ランプ、及びトレイ水位検出スイッチ４６（図３参照）の検出値に基づいて給水タンク１６への水の補給を促すための給水表示ランプ等の表示ＬＥＤが備えられている。
更に、背面カバー６の一側方の上端部には、吹出口１１ａ側にある物体との距離を検出するための距離センサ４５及び周囲の湿度を検出するための湿度センサ４２ａが近接して設置されている。距離センサ４５は、赤外線の発光部から発した光の反射光を受光部で受けて、背面側にある対象物までの距離を検出するものである。
【００２９】
上記構成において、送風機８のファンモータ９が回転した場合、背面カバー６の背面側より空気が吸入される。吸入された空気は、脱臭フィルタ４及び集塵フィルタ５によって浄化され、隔壁２３の通気孔を通過してファン１０に吸い込まれる。ファン１０に吸い込まれた空気は、ファンブレードの間を通ってファン１０の外周から通風路１１へ圧送され、風向板１２によって風向を調整されて、吹出口１１ａより外部へ吹き出される。
【００３０】
図３は、本発明に係る空気清浄機の制御系統の概略構成を示すブロック図である。制御部４０は、プログラム等の情報を記憶するＲＯＭ、ＲＯＭに予め格納されている制御プログラムに従って入出力制御及び演算を実行するＣＰＵ、一時的に発生した情報を記憶するＲＡＭ、並びに外部回路との入出力を行う入出力インタフェースを有している。
【００３１】
制御部４０には、入出力インタフェースを介して、温度センサ４１、湿度センサ４２、４２ａ、周囲の埃（又は臭気）を検出する埃センサ４３（又は臭気センサ４４）、距離センサ４５、トレイ１５の水位を検出するトレイ水位検出スイッチ４６、及び風向板１２が吹出口１１ａを閉塞する位置にあることを検出するためのリミットスイッチ５０ａが接続され、制御部４０は、これらのセンサの検出値及びスイッチの検出状態を取り込む。
埃センサ４３は、発光素子及び受光素子間の空気中に浮遊する塵埃及び粒子を検出する。臭気センサ４４は、金属酸化物半導体の表面にガスが吸着することにより、抵抗値が変化することを利用して、臭気成分を検出するものである。
【００３２】
また、制御部４０には、操作ボタン４８、表示ランプ４９ａ及び４９ｂが接続されている。操作ボタン４８に対する操作は、制御部４０によって受け付けられ、表示ランプ４９ａ及び４９ｂの点灯／消灯は、制御部４０によって制御される。
【００３３】
更に、制御部４０には、風向板駆動回路５０、送風機駆動回路５１、加湿器駆動回路５２及びイオン発生器駆動回路５３を介して、夫々風向板１２のステッピングモータ、送風機８のファンモータ９、加湿器１７の加湿フィルタ１４の駆動モータ、及びイオン発生器１８が接続されている。制御部４０は、操作ボタン４８から受け付けた操作並びに上述の各センサの検出値及び各スイッチの検出状態に基づいて、上記各駆動回路を制御する。これにより、風向板１２の風向、送風機８の風量、加湿器１７の加湿量及びイオン発生器１８のイオン発生量が制御される。
【００３４】
図４乃至図７は、加湿自動及び風速自動の運転モードにおける制御部４０の処理手順を示すフローチャートである。以下の処理は、制御部４０のマイクロコンピュータの内蔵ＲＯＭに予め格納されている制御プログラムに従って、マイクロコンピュータのＣＰＵにより実行される。制御部４０は、操作ボタン４８から設定された上記自動設定モード及び目標湿度の設定を受け付けた場合、加湿フィルタ１４の駆動モータの回転数、及び送風機８のファンモータ９の回転数を、夫々所定の初期値（本実施の形態では、中速度）に設定して以下の処理をスタートさせ、次回、運転モードが変更されるまで処理を継続する。
尚、吹出口１１ａの空気の湿度が所定値以上であることを記憶するための「高湿ＦＬＧ」、吹出口１１ａ側にある物体との距離の検出値を記憶するための「検出距離」、及び使用者が設定した「目標湿度」は、制御部４０の内蔵ＲＡＭに記憶されているものとする。また、送風機８のファンモータ９及び加湿フィルタ１４の駆動モータは、夫々高速度から微速度まで及び高速度から停止まで、段階的に速度（回転数）の制御を行うものとする。
【００３５】
以下の処理において、風向板１２の仰角は、風向板駆動回路５０が駆動する風向板１２のステッピングモータの駆動パルス数に比例して増／減する。制御部４０は、風向板１２が所定の俯角を有して吹出口１１ａを閉塞している場合を基準として、該基準の位置から駆動するパルス数をカウントすることにより、風向板１２を所定の仰角に向けさせる。風向板の仰角を増／減させる場合は、駆動するパルスの位相を正／逆相とし、当該仰角の位置から駆動するパルス数をカウントすることにより行う。
【００３６】
制御部４０は、初期化の一環として「高湿ＦＬＧ」をクリアすると共に（ステップＳ１１）、「検出距離」の記憶値をゼロクリアする（ステップＳ１２）。その後、制御部４０は、風向板駆動回路５０を駆動して風向板１２を仰角が減少する方向に回動させ（ステップＳ１３）、リミットスイッチ５０ａのオン／オフ状態を取込む（ステップＳ１４）。そして制御部４０は、リミットスイッチ５０ａがオンしたか否かを判定し（ステップＳ１５）、オンしていないと判定した場合（ステップＳ１５：ＮＯ）、処理をステップＳ１４に戻す。リミットスイッチ５０ａがオンしたと判定した場合（ステップＳ１５：ＹＥＳ）、制御部４０は、風向板駆動回路５０の駆動を停止して、風向板１２の回動を停止させる（ステップＳ１６）。この場合、風向板１２が停止した位置が、風向板１２の仰角を決めるための基準位置となる。
尚、例えば風向板が吹出口１１ａを閉塞するときの角度が、構造的に動作可能な角度の下限値であるようにした場合は、リミットスイッチ５０ａを搭載せずに、風向板１２の仰角が減少する方向の回動が停止するまで風向板駆動開路５０を駆動して、そのときの風向板１２の停止位置を基準位置としてもよい。
【００３７】
次いで、制御部４０は、距離センサ４５より吹出口１１ａ側にある物体との距離の検出値を取り込む（ステップＳ１７）。そして制御部４０は、取り込んだ距離と「検出距離」の記憶値とを比較して、距離に変化があったか否かを判定する（ステップＳ１８）。距離に変化があったと判定した場合（ステップＳ１８：ＹＥＳ）、制御部４０は、取り込んだ距離を「検出距離」に代入して更新する（ステップＳ１９）。
【００３８】
次いで、制御部４０は、距離センサ４５より取り込んだ距離が３０ｃｍ未満であるか否かを判定する（ステップＳ２０）。３０ｃｍ未満であると判定した場合（ステップＳ２０：ＹＥＳ）、制御部４０は、風向板駆動回路５０を駆動して風向板１２の仰角を７０度に設定する（ステップＳ２１）。当該距離が３０ｃｍ以上であると判定した場合（ステップＳ２０：ＮＯ）、制御部４０は、当該距離が６０ｃｍ以上であるか否かを判定する（ステップＳ２２）。６０ｃｍ以上であると判定した場合（ステップＳ２２：ＹＥＳ）、制御部４０は、風向板駆動回路５０を駆動して風向板１２の仰角を５０度に設定する（ステップＳ２３）。当該距離が６０ｃｍ未満であると判定した場合（ステップＳ２２：ＮＯ）、制御部４０は、風向板駆動回路５０を駆動して風向板１２の仰角を６０度に設定する（ステップＳ２４）。これにより、吹出口１１ａ側にある物体（壁面等の遮蔽物）との距離によって風向板１２の仰角が適当に設定される。
尚、検出して判定する距離は３０ｃｍ及び６０ｃｍに限定されるものではなく、設定する風向板１２の仰角は、５０度乃至７０度に限定されるものではない。
【００３９】
ステップＳ２１、ステップＳ２３若しくはステップＳ２４の処理を終えた場合、又はステップＳ１８で距離に変化がなかったと判定した場合（ステップＳ１８：ＮＯ）、制御部４０は、所定時間が経過したか否かを判定し（ステップＳ２５）、経過していないと判定した場合（ステップＳ２５：ＮＯ）、待機する。
この場合の所定時間は、制御部４０の処理の周期を決めるものであり、特定の時間に限定されるものではない。
【００４０】
所定時間が経過したと判定した場合（ステップＳ２５：ＹＥＳ）、制御部４０は、湿度センサ４２より、吹出口１１ａの空気の湿度を取り込む（ステップＳ２６）。そして制御部４０は、取り込んだ湿度が７０％以上であるか否かを判定する（ステップＳ２７）。７０％以上であると判定した場合（ステップＳ２７：ＹＥＳ）、制御部４０は、当該湿度が７０％以上に変化したのか否かを判定するために、「高湿ＦＬＧ」が「０」であるか否かを判定する（ステップＳ２８）。「０」であると判定した場合（ステップＳ２８：ＹＥＳ）、制御部４０は、風向板駆動回路５０を駆動して風向板１２の仰角を１０度増す（アップさせる）ように設定する（ステップＳ２９）。これにより、吹出口１１ａから吹出す高湿度の空気が、吹出口１１ａ側にある遮蔽物の上部に緩やかに当たるようにする。
その後、制御部４０は、「高湿ＦＬＧ」に「１」をセットする（ステップＳ３０）。
【００４１】
次いで、制御部４０は、吹出す空気の湿度が７０％を超えて然るべきか否かを判定するために、「目標湿度」が７０％以上であるか否かを判定する（ステップＳ３１）。７０％以上であると判定した場合（ステップＳ３１：ＹＥＳ）、制御部４０は、処理をステップＳ３９（室内の湿度を取り込む処理）に進める。「目標湿度」が７０％未満であると判定した場合（ステップＳ３１：ＮＯ）、制御部４０は、吹出す空気への加湿量を減少させるための前段階として、加湿フィルタ１４の駆動モータを停止させているか否かを判定する（ステップＳ３２）。停止させていないと判定した場合（ステップＳ３２：ＮＯ）、制御部４０は、加湿器駆動回路５２を駆動して加湿フィルタ１４の駆動モータの回転数を１段階ダウンさせる（ステップＳ３３）。これにより加湿フィルタ１４が乾燥しやすくなって、吹出す空気への加湿量が減少する。加湿フィルタ１４の回転が停止した場合、最も加湿量が減少する。
【００４２】
更に、制御部４０は、吹出す空気への加湿量をより迅速に減少させる必要があるか否かを判定するために、湿度センサ４２から取り込んだ吹出口１１ａの空気の湿度が８０％以上であるか否かを判定する（ステップＳ３４）。８０％未満であると判定した場合（ステップＳ３４：ＮＯ）、制御部４０は、処理をステップＳ３９（室内の湿度を取り込む処理）に進める。吹出口１１ａの空気の湿度が８０％以上であると判定した場合（ステップＳ３４：ＹＥＳ）、又はステップＳ３２で加湿フィルタ１４の駆動モータを停止させていると判定した場合（ステップＳ３２：ＹＥＳ）、制御部４０は、吹出す空気への加湿量を更に減少させるために、送風機駆動回路５１を駆動してファンモータ９の回転数を１段階ダウンさせる（ステップＳ３５）。この場合、ファンモータ９の回転数が微速度まで低下しているときは、当該回転数を維持するものとする。以下同じ。
その後、制御部４０は、処理をステップＳ３９に進める。
尚、吹出口１１ａの湿度の判定値は、７０％及び８０％に限定されるものではない。
【００４３】
ステップＳ２７で湿度センサ４２から取り込んだ吹出口１１ａの空気の湿度が７０％未満であると判定した場合（ステップＳ２７：ＮＯ）、制御部４０は、当該湿度が７０％未満に変化したのか否かを判定するために、「高湿ＦＬＧ」に「１」がセットされているか否かを判定する（ステップＳ３６）。「１」がセットされていないと判定した場合（ステップＳ３６：ＮＯ）、制御部４０は、処理をステップＳ３９（室内の湿度を取り込む処理）に進める。「高湿ＦＬＧ」に「１」がセットされていると判定した場合（ステップＳ３６：ＹＥＳ）、制御部４０は、風向板駆動回路５０を駆動して風向板１２の仰角を１０度減じる（ダウンさせる）ように設定する（ステップＳ３７）。これにより、湿度が７０％未満となった吹出口１１ａの空気が、再び適当な角度で吹出口１１ａ側にある遮蔽物に当たるようにする。尚、仰角を増／減させる角度は、１０度に限定されるものではない。
その後、制御部４０は、「高湿ＦＬＧ」を「０」にクリアする（ステップＳ３８）。
【００４４】
次いで、制御部４０は、湿度センサ４２ａより周囲の湿度（本実施の形態では室内の湿度）の検出値を取り込む（ステップＳ３９）。そして、制御部４０は、室内の湿度が「目標湿度」以上であるか否かを判定する（ステップＳ４０）。「目標湿度」以上であると判定した場合（ステップＳ４０：ＹＥＳ）、制御部４０は、吹出す空気への加湿量を減少させるための前段階として、加湿フィルタ１４の駆動モータを停止させているか否かを判定する（ステップＳ４１）。
【００４５】
加湿フィルタ１４の駆動モータを停止させていないと判定した場合（ステップＳ４１：ＮＯ）、制御部４０は、加湿器駆動回路５２を駆動して加湿フィルタ１４の駆動モータの回転数を１段階ダウンさせる（ステップＳ４２）。そして、制御部４０は、処理をステップＳ１７に戻す。
加湿フィルタ１４の駆動モータを停止させていると判定した場合（ステップＳ４１：ＹＥＳ）、制御部４０は、送風機駆動回路５１を駆動してファンモータ９の回転数を１段階ダウンさせる（ステップＳ４３）。そして、制御部４０は、処理をステップＳ１７に戻す。
【００４６】
ステップＳ４０で室内の湿度が「目標湿度」未満であると判定した場合（ステップＳ４０：ＮＯ）、制御部４０は、吹出す空気の湿度が既に７０％以上となっているか否かを判定するために、「高湿ＦＬＧ」に「１」がセットされているか否かを判定する（ステップＳ４４）。「１」がセットされていると判定した場合（ステップＳ４４：ＹＥＳ）、制御部４０は、処理をステップＳ１７に戻す。「高湿ＦＬＧ」に「１」がセットされていないと判定した場合（ステップＳ４４：ＮＯ）、制御部４０は、湿度センサ４２ａより取り込んだ室内の湿度が、「目標湿度」より１０％以上低いか否かを判定する（ステップＳ４５）。１０％以上低いことはないと判定した場合（ステップＳ４５：ＮＯ）、制御部４０は、処理をステップＳ１７に戻す。
【００４７】
室内の湿度が、「目標湿度」より１０％以上低いと判定した場合（ステップＳ４５：ＹＥＳ）、制御部４０は、吹出す空気への加湿量を増すための前段階として、加湿フィルタ１４の駆動モータを最高速度で回転させているか否かを判定する（ステップＳ４６）。最高速度ではないと判定した場合（ステップＳ４６：ＮＯ）、制御部４０は、加湿器駆動回路５２を駆動して加湿フィルタ１４の駆動モータの回転数を１段階アップさせる（ステップＳ４７）。その後、制御部４０は、吹出す空気への加湿量をより迅速に増す必要があるか否かを判定するために、湿度センサ４２ａより取り込んだ室内の湿度が、「目標湿度」より２０％以上低いか否かを判定する（ステップＳ４８）。２０％以上低いことはないと判定した場合（ステップＳ４８：ＮＯ）、制御部４０は、処理をステップＳ１７に戻す。
尚、室内の湿度と「目標湿度」との差の判定値は、１０％及び２０％に限定されるものではない。
【００４８】
室内の湿度が、「目標湿度」より２０％以上低いと判定した場合（ステップＳ４８：ＹＥＳ）、又はステップＳ４６で加湿フィルタ１４の駆動モータを最高速度で回転させていると判定した場合（ステップＳ４６：ＹＥＳ）、制御部４０は、吹出す空気への加湿量を更に増すために、送風機駆動回路５１を駆動してファンモータ９の回転数を１段階アップさせる（ステップＳ４９）。この場合、ファンモータ９の回転数が最高速度に達しているときは、当該回転数を維持するものとする。
その後、制御部４０は、処理をステップＳ１７に戻す。
【００４９】
以上のように、本実施の形態によれば、吹出口から吹出す空気の湿度の高／低に応じて風向板の角度を上／下させる。これにより、吹出口の背面側に壁面等の遮蔽物があった場合、吹出す空気の湿度が高い（又は低い）ときは、当該遮蔽物の上部に緩やかに（又は下部に勢いよく）空気が吹き当たるようにする。従って、空気の浄化度を低下させることなく、吹出口のある背面側の遮蔽物にカビが発生するのを防止する。また、吹出した空気が遮蔽物に当たって、コアンダ効果により効率よく周囲に行き渡るため、雰囲気を均一に浄化及び加湿することができる。
【００５０】
更に、吹出し口から吹出す空気の湿度が、カビの発生が懸念される７０％以上となった場合、そのときの風向板の仰角を増大させる。これにより、背面側の遮蔽物のより上方に、より緩やかに空気を吹き当てて、カビが発生することを防止することもできる。
【００５１】
更に、吹出し口から吹出す空気の湿度が、カビの発生が懸念される７０％以上の場合、加湿フィルタの回転数を下げて、吹出す空気の加湿量を減少させる。これにより、背面側の遮蔽物に吹き当たる空気によってカビが発生することを抑止することもできる。
【００５２】
更に、吹出し口から吹出す空気の湿度が、カビの発生が懸念される７０％より大きい８０％以上となった場合、送風機のファンモータの風量を減少させて、吹出す空気の加湿量を減少させる。これにより、背面側の遮蔽物に吹き当たる空気によってカビが発生することを更に抑止することもできる。
【００５３】
更に、背面側にある遮蔽物との距離の短／長に応じて、風向板の仰角を上／下させる。これにより、背面側の遮蔽物との離隔距離が短いほど当該遮蔽物のより上部により緩やかに空気が吹き当たるようにして、カビの発生を防止することもできる。
【００５４】
更に、背面側にある遮蔽物との距離が３０ｃｍ未満（又は６０ｃｍ以上）の場合、風向板の仰角を７０度（又は５０度）に向けさせる。これにより、吹出す空気の湿度によってはカビの発生が懸念される場合は、背面側の遮蔽物のより上方に、より緩やかに空気を吹き当てて、カビの発生を抑止し、カビの発生の恐れが少ない場合は、背面側の遮蔽物に空気を吹き当てて、雰囲気を均一に浄化及び加湿することもできる。
【００５５】
尚、本実施の形態にあっては、室内の湿度を湿度センサ４２ａによって検出し、室内の湿度を、使用者が設定した目標湿度に近づける制御を行っているが、目標湿度を設定せずに加湿を行う場合は、湿度センサ４２ａを備える必要はない。
また、ステップＳ１６乃至２０において、吹出口側の物体との距離の短／長に基づいて、風向板の仰角の大／小を設定しているが、加湿フィルタの駆動モータ又はファンモータの回転数を制御して、吹出す空気への加湿量の減／増を設定するようにしてもよい。
【図面の簡単な説明】
【００５６】
【図１】本発明に係る空気清浄機を正面右上から見た略示斜視図である。
【図２】空気清浄機の内部構成を示す略示右側断面図である。
【図３】本発明に係る空気清浄機の制御系統の概略構成を示すブロック図である。
【図４】加湿自動及び風速自動の運転モードにおける制御部の処理手順を示すフローチャートである。
【図５】加湿自動及び風速自動の運転モードにおける制御部の処理手順を示すフローチャートである。
【図６】加湿自動及び風速自動の運転モードにおける制御部の処理手順を示すフローチャートである。
【図７】加湿自動及び風速自動の運転モードにおける制御部の処理手順を示すフローチャートである。
【符号の説明】
【００５７】
２  筐体
８  送風機
９  ファンモータ
１０  ファン
１１  通風路
１１ａ  吹出口
１２  風向板
１３  操作表示部
１４  加湿フィルタ
１７  加湿器
４０  制御部
４２、４２ａ  湿度センサ
４５  距離センサ
４８  操作ボタン
４９ａ、４９ｂ  表示ランプ
５０  風向板駆動回路
５０ａ  リミットスイッチ
５１  送風機駆動回路
５２  加湿器駆動回路
【図１】
2009085558.tif 000003
【図２】
2009085558.tif 000004
【図３】
2009085558.tif 000005
【図４】
2009085558.tif 000006
【図５】
2009085558.tif 000007
【図６】
2009085558.tif 000008
【図７】
2009085558.tif 000009